Podtech/llm-jp-corpus-v4-ja_patent huggingface dataset:
【手続補正書】
【提出日】平成26年8月8日(2014.8.8)
【手続補正１】
【補正対象書類名】特許請求の範囲
【補正対象項目名】全文
【補正方法】変更
【補正の内容】
【特許請求の範囲】
【請求項１】
ベース部と、該ベース部に対して移動可能に設けられた可動部と、該可動部を待機位置と該待機位置とは異なる進出位置との間で駆動させる駆動手段と、を有する演出装置を備える遊技機であって、
前記演出装置は、
一端と他端間で付勢力を有する付勢部材と、
前記ベース部に設けられるベース側支持部と、
前記可動部に設けられる可動側支持部と、を備え、
前記駆動手段は、前記可動部を前記待機位置から前記進出位置の方向へ駆動し、
前記付勢部材は、一端が前記可動側支持部に固定されて前記可動部と一体的に移動し、
前記ベース側支持部は、
前記可動部が前記待機位置にあるときに、前記付勢部材の付勢力が前記可動部に伝達されるように、前記付勢部材の他端を支持し、
前記可動部が前記待機位置と前記進出位置との間の所定の解除位置にあるときに、前記付勢部材の付勢力が前記可動部に伝達されないように、前記付勢部材の他端の支持を解除し、
前記付勢部材は、前記可動部が待機位置にあるときに該可動部を前記待機位置から前記進出位置へ動作させる方向へ付勢し、
前記可動部は、発光手段を備える、
ことを特徴とする遊技機。
【手続補正２】
【補正対象書類名】明細書
【補正対象項目名】０００１
【補正方法】変更
【補正の内容】
【０００１】
本発明は、演出装置を備える遊技機に関する。
【手続補正３】
【補正対象書類名】明細書
【補正対象項目名】０００８
【補正方法】変更
【補正の内容】
【０００８】
前記課題を解決するために、本発明の請求項１に記載の遊技機は、
ベース部（ベース部材５０１ａ，５０１ｂ／ベース部６００／ベース部６１０）と、該ベース部に対して移動可能に設けられた可動部（可動部材５０２ａ，５０２ｂ／可動部６０１／可動部６１１）と、該可動部を待機位置（隠蔽位置／第１位置Ａ）と該待機位置とは異なる進出位置（現出位置／第２位置Ｂ）との間で駆動させる駆動手段（駆動モータ５０３ａ，５０３ｂ，ピニオンギヤ５１０ａ，５１０ｂ，従動ギヤ５２８ａ，５２８ｂ）と、を有する演出装置（５００／５００Ａ／５００Ｂ）を備える遊技機（パチンコ遊技機１）であって、
前記演出装置は、
一端（例えば第１端部５２２ｃ）と他端（例えば第２端部５２２ｄ）間で付勢力を有する付勢部材（トーションバネ５２２ａ，５２２ｂ／圧縮コイルバネ６０２／引張りコイルバネ６１２）と、
前記ベース部に設けられるベース側支持部（第１バネ支持部５１３ａ，５１３ｂ）と、
前記可動部に設けられる可動側支持部（第２バネ支持部５２３ａ，５２３ｂ）と、を備え、
前記駆動手段は、前記可動部を前記待機位置から前記進出位置の方向へ駆動し、
前記付勢部材は、一端が前記可動側支持部に固定されて前記可動部と一体的に移動し、
前記ベース側支持部は、
前記可動部が前記待機位置にあるときに、前記付勢部材の付勢力が前記可動部に伝達されるように、前記付勢部材の他端を支持し（図１３（ａ）（ｂ）参照）、
前記可動部が前記待機位置と前記進出位置との間の所定の解除位置にあるときに、前記付勢部材の付勢力が前記可動部に伝達されないように、前記付勢部材の他端の支持を解除し（図１３（ｃ）参照）、
前記付勢部材は、前記可動部が待機位置にあるときに該可動部を前記待機位置から前記進出位置へ動作させる方向へ付勢し、
前記可動部は、発光手段を備える、
ことを特徴としている。
この特徴によれば、駆動手段により可動部を待機位置から所定の解除位置まで移動させる間は、付勢部材の一端と他端とがベース側支持部及び可動側支持部に支持されて付勢部材による付勢力が可動部に伝達されるので、駆動開始時における静止摩擦による駆動手段への負荷が軽減されるとともに、所定の解除位置を過ぎると、付勢部材の一端及び／または他端がベース側支持部及び可動側支持部に支持されなくなり、付勢部材による付勢力が可動部に伝達されなくなるため、可動部を進出位置から待機位置に向けて折返し駆動させる際に、駆動手段に付勢部材の付勢力による負荷がかかることが防止される。
【手続補正４】
【補正対象書類名】明細書
【補正対象項目名】０００９
【補正方法】変更
【補正の内容】
【０００９】
本発明の手段１に記載の遊技機は、請求項１に記載の遊技機であって、
前記可動部（可動部材５０２ａ，５０２ｂ／可動部６０１）は、前記ベース部（ベース
部材５０１ａ，５０１ｂ／ベース部６００）に設けられた回動軸（回動軸５０６ａ，５０
６ｂ）を中心として、前記待機位置（隠蔽位置／第１位置Ａ）と前記進出位置（現出位置
／第２位置Ｂ）との間で該可動部の重心位置（Ｇ）が前記回動軸の鉛直上方の基準位置（角度θ＝０度）を通過するように回動可能に設けられ、
前記ベース側支持部（第１バネ支持部５１３ａ，５１３ｂ）及び前記可動側支持部（第
２バネ支持部５２３ａ，５２３ｂ）は、前記待機位置と前記基準位置との間の所定位置を
前記所定の解除位置として、前記付勢部材の一端（例えば第１端部５２２ｃ）及び／または他端（例えば第２端部５２２ｄ）の支持を解除する、
ことを特徴としている。
この特徴によれば、可動部を待機位置から基準位置まで上昇駆動させるときには、付勢部材による付勢力が可動部に伝達されることで駆動手段の負荷が軽減される一方、基準位置から進出位置まで下降駆動させるときには、付勢部材による付勢力が可動部に伝達されないので、可動部を進出位置から待機位置に向けて折返し駆動させる際に、駆動手段に付勢部材の付勢力による負荷がかかることが防止される。
【手続補正５】
【補正対象書類名】明細書
【補正対象項目名】００１０
【補正方法】変更
【補正の内容】
【００１０】
本発明の手段２に記載の遊技機は、手段１に記載の遊技機であって、
前記可動部（可動部材５０２ａ，５０２ｂ／可動部６０１）の前記基準位置から前記待機位置（隠蔽位置／第１位置Ａ）までの回転角度（θ１≒π／６＝３０度）は、前記基準位置から前記進出位置（現出位置／第２位置Ｂ）までの回転角度（θ２≒０.１４π＝−２５度）よりも大きい（θ１＞θ２、図１４参照）、
ことを特徴としている。
この特徴によれば、可動部の自重により生じるモーメント力が大きい待機位置側において付勢部材による付勢力が可動部に伝達されるので、駆動手段の負荷が軽減される。
【手続補正６】
【補正対象書類名】明細書
【補正対象項目名】００１１
【補正方法】変更
【補正の内容】
【００１１】
本発明の手段３に記載の遊技機は、請求項１、手段１、手段２のいずれかに記載の遊技機であって、
前記可動側支持部（第２バネ支持部５２３ａ，５２３ｂ）は、前記可動部（可動部材５０２ａ，５０２ｂ）が前記所定の解除位置と前記進出位置（隠蔽位置）との間にあるときでも、前記付勢部材（トーションバネ５２２ａ，５２２ｂ）の一端（第２端部５２２ｄ）を離脱不能に支持する、
ことを特徴としている。
この特徴によれば、付勢部材を可動部とともにベース部に対して取り付けたり取り外したりすることができるため、作業性が向上する。
【手続補正書】
【提出日】平成26年10月8日(2014.10.8)
【手続補正１】
【補正対象書類名】特許請求の範囲
【補正対象項目名】全文
【補正方法】変更
【補正の内容】
【特許請求の範囲】
【請求項１】
ＣＶＤ法により基板上に単結晶をエピタキシャル成長させる単結晶の製造装置であって、
前記基板が載置されるサセプタと、
前記サセプタにおける前記基板の載置面に配設された断熱材と
を備えることを特徴とする単結晶の製造装置。
【請求項２】
前記断熱材は、前記サセプタに前記基板を載置したときに前記基板と接触する位置に配設されている
請求項１記載の単結晶の製造装置。
【請求項３】
前記断熱材は、前記サセプタの前記基板が載置される部分の中央部を含む領域に配設されている
請求項１または請求項２記載の単結晶の製造装置。
【請求項４】
前記断熱材の厚さは、前記基板との接触部で最も厚くなっている
請求項１から請求項３のいずれか一項記載の単結晶の製造装置。
【請求項５】
前記断熱材の熱輻射率は、単結晶のエピタキシャル成長時の温度において０．６未満である
請求項１から請求項４のいずれか一項記載の単結晶の製造装置。
【請求項６】
請求項１から請求項５のいずれか一項記載の単結晶の製造装置を用いる炭化珪素単結晶の製造方法。
【請求項７】
前記基板は、シリコン面が凹型になるように反った４Ｈ−ＳｉＣ基板である
請求項６記載の炭化珪素単結晶の製造方法。
【請求項８】
前記基板の直径は１００ｍｍ以上である
請求項６または請求項７記載の炭化珪素単結晶の製造方法。
【請求項９】
前記基板上に成長させるエピタキシャル膜の厚さが２０μｍ以上である
請求項６から請求項８のいずれか一項記載の炭化珪素単結晶の製造方法。
【請求項１０】
前記基板上に成長させるエピタキシャル膜の窒素のドーピング濃度が１×１０１６／ｃｍ３以下である
請求項６から請求項９のいずれか一項記載の炭化珪素単結晶の製造方法。
【手続補正書】
【提出日】平成26年10月1日(2014.10.1)
【手続補正１】
【補正対象書類名】明細書
【補正対象項目名】００６６
【補正方法】変更
【補正の内容】
【００６６】
さらに、駆動部１８を構成するシリンダチューブ４２の一端部及び他端部には、圧力流体の供給される第１及び第３ポート５６、６０を有し、前記第１及び第３ポート５６、６０に対して圧力流体を供給することで、第１及び第２ピストン４４、４６を互いに接近させる方向へと変位させ、第１及び第２クランプアーム１４、１６をクランプ状態へと回動させることを可能としている。そのため、例えば、速度調整弁等を用いて第１ポート５６へ供給される圧力流体の供給量と、第３ポート６０へ供給される圧力流体の供給量とを異ならせることにより、第１クランプアーム１４の回動速度と第２クランプアーム１６の回動速度とを変化させることができる。
【手続補正書】
【提出日】平成26年9月16日(2014.9.16)
【手続補正１】
【補正対象書類名】特許請求の範囲
【補正対象項目名】全文
【補正方法】変更
【補正の内容】
【特許請求の範囲】
【請求項１】
複数の登録店舗が属する複数の店舗グループにおける各々の前記登録店舗にて会員が行う消費に応じてポイントを付与するポイント付与条件を設定するポイント付与条件設定手段と、
前記会員が前記登録店舗において前記消費を行ったことに基づいて、前記設定されたポイント付与条件に応じたポイントを当該会員に付与するポイント付与手段と、
前記会員毎に、前記付与されたポイントを記憶するポイント記憶手段と、
前記会員が所望する景品の提供要求を受け付けたことに基づいて、前記記憶している当該会員のポイントを使用して前記景品と交換するための景品交換処理を行う景品交換処理手段と、
を備えるポイントシステムであって、
前記ポイント記憶手段は、前記会員が、複数の前記店舗グループのうちのいずれの会員であるかを記憶し、
前記景品として、当該ポイントシステムの管理機関が提供し、いずれの店舗グループの会員であっても交換可能な第１景品を登録する第１景品登録手段と、
前記景品として、前記店舗グループに属する登録店舗が当該登録店舗で提供し、当該店舗グループの会員のみが交換可能な第２景品を登録する第２景品登録手段と、をさらに備えることを特徴とするポイントシステム。
【手続補正２】
【補正対象書類名】明細書
【補正対象項目名】０００８
【補正方法】変更
【補正の内容】
【０００８】
まず手段１は、
複数の登録店舗（遊技場やテナント）が属する複数の店舗グループ（Ａ，Ｂ，Ｃグループ）における各々の前記登録店舗にて会員が行う消費に応じてポイントを付与するポイント付与条件を設定するポイント付与条件設定手段（遊技場サーバ１０、テナント端末２１，２２，２３）と、
前記会員が前記登録店舗において前記消費を行ったことに基づいて、前記設定されたポイント付与条件に応じたポイントを当該会員に付与するポイント付与手段（Ｓａ０３，Ｓａ１３の処理を行う遊技場サーバ１０）と、
前記会員毎に、前記付与されたポイントを記憶するポイント記憶手段（システムサーバ３０のシステムポイントＤＢ、遊技場サーバ１０のグループポイントＤＢ）と、
前記会員が所望する景品（商品，サービス，割引等）の提供要求を受け付けたこと（Ｓｂ１３，Ｓｂ２３でＹＥＳ）に基づいて、前記記憶している当該会員のポイントを使用して前記景品と交換するための景品交換処理を行う景品交換処理手段（Ｓｂ１４，Ｓｂ１７，Ｓｂ２４，Ｓｂ２５の処理を行うシステムサーバ３０）と、
を備えるポイントシステム（１）であって、
前記ポイント記憶手段は、前記会員が、複数の前記店舗グループのうちのいずれの会員であるかを記憶し、
前記景品として、当該ポイントシステムの管理機関が提供し、いずれの店舗グループの会員であっても交換可能な第１景品を登録する第１景品登録手段（システムサーバ３０）と、
前記景品として、前記店舗グループに属する登録店舗が当該登録店舗で提供し、当該店舗グループの会員のみが交換可能な第２景品を登録する第２景品登録手段（システムサーバ３０）と、をさらに備えることを特徴とするポイントシステムである。
【手続補正書】
【提出日】平成26年2月24日(2014.2.24)
【手続補正１】
【補正対象書類名】特許請求の範囲
【補正対象項目名】全文
【補正方法】変更
【補正の内容】
【特許請求の範囲】
【請求項１】
装置に少なくともある程度絡み付かれた血栓を含む、除去可能な一体化された装置−血栓複合体であって、前記装置は、
第１の複数のセルを含む構造であって、前記構造は、近端および遠端を有し、前記近端および前記遠端は、開放しており、前記第１の複数のセルは、前記血栓の少なくとも一部分に絡み付くように構成されている、構造と、
第２の複数のセルを含む先細り部分であって、前記先細り部分は、前記構造の前記近端に向けて配置される、先細り部分と、
前記先細り部分が収斂する、前記先細り部分の近端に配置された、連結点と
を含み、
自動展開式装置が、体積拡大形態をとるようにあらかじめ形成され、前記体積拡大形態において前記連結点に向けて先細りになる、軸方向開放管の形態をとる、除去可能な一体化された装置−血栓複合体。
【請求項２】
前記構造の前記遠端は、前記体積拡大形態において前記体積拡大形態における前記構造の前記近端より大きな直径を有する、請求項１に記載の除去可能な一体化された装置−血栓複合体。
【請求項３】
前記構造の前記遠端は、強められた径方向力を提供するために十分な時間加熱される、請求項１に記載の除去可能な一体化された装置−血栓複合体。
【請求項４】
前記構造の前記遠端は、ファイバを含む、請求項１に記載の除去可能な一体化された装置−血栓複合体。
【請求項５】
前記構造の前記遠端は、１つ以上のペグおよび／またはフックを含む、請求項１に記載の除去可能な一体化された装置−血栓複合体。
【請求項６】
前記第２の複数のセルのメッシュサイズは、前記第１の複数のセルのメッシュサイズよりも大きい、請求項１に記載の除去可能な一体化された装置−血栓複合体。
【請求項７】
前記構造は、抗血液凝固性または抗血小板性の薬剤でコーティングされる、請求項１に記載の除去可能な一体化された装置−血栓複合体。
【請求項８】
前記構造は、さらに生分解性／生体適合性の高分子材でコーティングされて前記抗血液凝固性または抗血小板性の薬剤の徐放を提供する、請求項６に記載の除去可能な一体化された装置−血栓複合体。
【請求項９】
前記構造は、抗血液凝固性または抗血小板性の薬剤を保持するための貯槽を含む、請求項１に記載の除去可能な一体化された装置−血栓複合体。
【手続補正書】
【提出日】平成26年7月3日(2014.7.3)
【手続補正１】
【補正対象書類名】特許請求の範囲
【補正対象項目名】全文
【補正方法】変更
【補正の内容】
【特許請求の範囲】
【請求項１】
バッテリを電源として駆動輪を駆動するモータと、該モータの駆動を制御する駆動制御回路と、前記駆動輪に制動力を付与する制動装置と、該制動装置を動作する制動制御回路と、前方の電動車から送信される送信信号を受信する受信器とを備え、
前記受信器で受信される受信信号が所定値以上になると、前記制動制御回路は、前記制動装置を動作させ、電動車を制動し、前記受信器で受信される受信信号が所定値以下になると前記駆動制御回路は、前記モータを駆動し、前方の電動車に追従して走行させることを特徴とする電動車。
【請求項２】
前記受信器で受信する信号に基づいて報知手段の動作が制御されることを特徴とする請求項１に記載の電動車。
【請求項３】
前記受信器で受信される受信信号が所定値以上になると、前記報知手段は報知するように動作することを特徴とする請求項２に記載の電動車。
【請求項４】
前記受信器で受信される受信信号が所定値以下になり、前方の電動車に追従して発進するときに、前記報知手段は報知するように動作することを特徴とする請求項２に記載の電動車。
【請求項５】
前記報知手段は、前記受信器で受信される受信信号の内容によって報知の内容を異ならせることを特徴とする請求項２に記載の電動車。
【手続補正２】
【補正対象書類名】明細書
【補正対象項目名】０００８
【補正方法】変更
【補正の内容】
【０００８】
本発明の請求項１の構成によると、バッテリを電源として駆動輪を駆動するモータと、該モータの駆動を制御する駆動制御回路と、前記駆動輪に制動力を付与する制動装置と、該制動装置を動作する制動制御回路と、前方の電動車から送信される送信信号を受信する
受信器とを備え、前記受信器で受信される受信信号が所定値以上になると、前記制動制御回路は、前記制動装置を動作させ、電動車を制動し、前記受信器で受信される受信信号が所定値以下になると前記駆動制御回路は、前記モータを駆動し、前方の電動車に追従して走行させることを特徴とする。
【手続補正３】
【補正対象書類名】明細書
【補正対象項目名】００１０
【補正方法】変更
【補正の内容】
【００１０】
本発明の請求項３の構成によると、前記受信器で受信される受信信号が所定値以上になると、前記報知手段は報知するように動作することを特徴とする。
【手続補正４】
【補正対象書類名】明細書
【補正対象項目名】００１１
【補正方法】変更
【補正の内容】
【００１１】
本発明の請求項４の構成によると、前記受信器で受信される受信信号が所定値以下になり、前方の電動車に追従して発進するときに、前記報知手段は報知するように動作することを特徴とする。
【手続補正５】
【補正対象書類名】明細書
【補正対象項目名】００１３
【補正方法】変更
【補正の内容】
【００１３】
本発明の請求項１の構成によると、電動車が走行するときに、追従モードに設定しておくと、前方の電動車からの送信信号を受信器が受信し、前方の電動車とが所定の距離、即ち、受信器で受信される受信信号が所定値以上になると、制動装置によって、電動車を制動し、前方の電動車との距離が所定以上になる、即ち、前記受信器で受信される受信信号が所定値以下になるとモータを駆動して電動車を走行させることで、前方の電動車に追突することなく、追従させることができる。
【手続補正書】
【提出日】平成26年5月13日(2014.5.13)
【手続補正１】
【補正対象書類名】特許請求の範囲
【補正対象項目名】全文
【補正方法】変更
【補正の内容】
【特許請求の範囲】
【請求項１】
連続的に汚水が流入する汚水沈砂池と、雨天時に汚水が流入する雨水沈砂池とを備え、各沈砂池に集砂手段と揚砂手段とをそれぞれ設けた沈砂処理設備において、前記集砂手段として、前記汚水沈砂池には池内に流入汚水を貯留した状態で集砂を行う水中集砂装置を、前記雨水沈砂池には池内に流入した汚水を排出した状態で集砂を行うドライ集砂装置をそれぞれ設けるとともに、各沈砂池の水面より上方位置に貯水槽を配置し、前記水中集砂装置及び前記ドライ集砂装置は、前記貯水槽から流下する流下水によって集砂を行う複数の集砂水流出部を備え、各沈砂池に設けられる前記揚砂手段は、各沈砂池にそれぞれ設けられて前記各集砂手段によって集砂した沈砂を吸入する沈砂吸入管と、各沈砂吸入管に揚砂弁を介してそれぞれ接続した沈砂貯留槽と、該沈砂貯留槽内の流体を流体排出弁を介して吸引するエゼクタと、該エゼクタと前記沈砂貯留槽とに前記貯水槽内の水を昇圧して供給するポンプと、該ポンプと前記エゼクタとをエゼクタ作動弁を介して接続したエゼクタ駆動水供給経路と、前記ポンプと前記沈砂貯留槽とを排砂水供給弁を介して接続した排砂水供給経路と、該排砂水供給経路から供給される排砂水に同伴させて前記沈砂貯留槽内から沈砂を排出する沈砂排出経路と、該沈砂排出経路に排出された排砂水中の沈砂と水とを分離する沈砂分離機と、該沈砂分離機で分離した水を前記貯水槽に返送する水返送経路とを備えていることを特徴とする沈砂処理設備。
【請求項２】
前記水中集砂装置の前記集砂水流出部は、前記貯水槽から流下する流下水を前記ポンプによって昇圧した水が供給されることを特徴とする請求項１記載の沈砂処理設備。
【請求項３】
前記汚水沈砂池の上流側に設けられた除塵機と、
前記除塵機に捕捉されたし渣を回収する回収槽と、
該回収槽と前記沈砂貯留槽とを接続するし渣回収経路と、
し渣を分離して脱水処理を行うし渣分離脱水機とを備え、
前記沈砂排出経路から分岐してし渣分離脱水機に接続するし渣処理経路が設けられていることを特徴とする請求項１又は２記載の沈砂処理設備。
【手続補正２】
【補正対象書類名】明細書
【補正対象項目名】０００７
【補正方法】変更
【補正の内容】
【０００７】
さらに、本発明の沈砂処理設備は、前記水中集砂装置の前記集砂水流出部は、前記貯水槽から流下する流下水を前記ポンプによって昇圧した水が供給されることを特徴としている。また、前記汚水沈砂池の上流側に設けられた除塵機と、前記除塵機に捕捉されたし渣を回収する回収槽と、該回収槽と前記沈砂貯留槽とを接続するし渣回収経路と、し渣を分離して脱水処理を行うし渣分離脱水機とを備え、前記沈砂排出経路から分岐してし渣分離脱水機に接続するし渣処理経路が設けられていることを特徴としている。
【手続補正３】
【補正対象書類名】明細書
【補正対象項目名】００１４
【補正方法】変更
【補正の内容】
【００１４】
また、本形態例に示す沈砂処理設備では、前記除塵機１４に捕捉されて回収槽１４ａに回収したし渣を分離して脱水処理を行うためのし渣分離脱水機４３が設けられている。前記回収槽１４ａには、前記沈砂貯留槽３３に接続するし渣回収経路４４が設けられ、沈砂排出経路４１からは、し渣分離脱水機４３に接続するし渣処理経路４５が分岐している。さらに、沈砂分離機４２で沈砂を分離した水及びし渣分離脱水機４３でし渣を分離した水を、前記水返送経路４０を介して前記貯水槽３６に返送する分離水返送経路４６が設けられている。
【手続補正４】
【補正対象書類名】明細書
【補正対象項目名】００２５
【補正方法】変更
【補正の内容】
【００２５】
砂吸上操作を行った後、沈砂貯留槽３３内に貯留された沈砂を沈砂分離機４２に送出する排砂操作を行う。この排砂操作では、他の弁を閉じた状態で排砂水供給経路３９の排砂水供給弁３９Ｖと前記沈砂排出経路４１の排砂弁４１Ｖとを開き、ポンプ３７を作動させて貯水槽３６内の水を排砂水として排砂水供給経路３９から沈砂貯留槽３３内に供給する。これにより、沈砂貯留槽３３内の沈砂が排砂水に同伴されて沈砂排出経路４１に排出され、前記沈砂分離機４２のホッパー４２ａに送出される。排砂操作終了後は、ポンプ３７を停止させて沈砂貯留槽３３内に残る排砂水を別途設けたドレンなどから排出する。また、沈砂分離機４２で沈砂から分離した水は、本形態例では、し渣分離脱水機４３を介して分離水返送経路４６を通り、前記水返送経路４０を通って貯水槽３６に返送される。
【手続補正書】
【提出日】平成26年8月28日(2014.8.28)
【手続補正１】
【補正対象書類名】特許請求の範囲
【補正対象項目名】全文
【補正方法】変更
【補正の内容】
【特許請求の範囲】
【請求項１】
展示品本体にストラップを取り付けた展示品を吊り下げる展示具において、
台座と、
前記台座から延びる支柱と、
前記支柱から前記展示品本体側に突出する支持体と、
前記支持体に設けられ、前記ストラップを通す通し穴と、を備える展示具。
【請求項２】
請求項１において、
前記支柱の背面に、前記ストラップを下方に導く断面半円状の通し溝が設けられた展示具。
【請求項３】
請求項１または請求項２において、
前記通し穴に通した前記ストラップを掛け止める掛止体を備える展示具。
【請求項４】
請求項３において、
前記掛止体は、前記台座の底面に設けられる展示具。
【請求項５】
請求項１乃至請求項４のいずれか一項において、
前記ストラップは、環状紐と、前記環状紐の基端部を保持する保持具と、前記保持具と前記展示品本体を連結する連結リングと、を有するものであり、
前記支持体の先端開口に、1対の切欠きを対向させて設け、
前記保持具を前記通し穴に嵌合させると共に、前記連結リングを前記1対の切欠きに嵌合させるようにした展示具。
【手続補正２】
【補正対象書類名】明細書
【補正対象項目名】０００８
【補正方法】変更
【補正の内容】
【０００８】
本発明は、展示品本体にストラップを取り付けた展示品を吊り下げる展示具において、台座と、台座から延びる支柱と、支柱から展示品本体側に突出する支持体と、支持体に設けられ、ストラップを通す通し穴と、を備える。
【手続補正書】
【提出日】平成26年4月15日(2014.4.15)
【手続補正１】
【補正対象書類名】特許請求の範囲
【補正対象項目名】請求項１
【補正方法】変更
【補正の内容】
【請求項１】
導入孔に供給された高圧水に研磨材を混入したアブレシブウォータージェットをワークに噴射して加工するアブレシブウォータージェットノズルであって、
前記研磨材が供給口から室内に空気とともに吸い込まれて導入される気室からなる混合室と、
この混合室の上方に配設され前記導入孔が形成され前記高圧水を噴出するウォーターノズルと、
このウォーターノズルの下流部であって前記混合室の中央部に入り込むように配設され、当該ウォーターノズルから噴出されたウォータージェットに前記研磨材を混入させ、前記混合室内に当該ウォータージェットを導通孔の開口部から噴出するミキシングノズルと、
このミキシングノズルの下流部に配設され前記ウォータージェットを導入して前記アブレシブウォータージェットを前記ワークに噴射するアブレシブノズルと、を備え、
前記供給口は、前記開口部よりも前記ウォータージェットの噴出方向に対して上流側に前記研磨材を供給するように前記混合室に配設され、
前記ミキシングノズルの導通孔の孔径は、前記ウォーターノズルの孔径よりも大きく形成され、当該導通孔を通過するウォータージェットと当該導通孔の内周面との間に形成された隙間に前記混合室内に滞留させた研磨材を空気とともに吸引して当該導通孔内で前記ウォータージェットに混入させること、を特徴とするアブレシブウォータージェットノズル。
【手続補正２】
【補正対象書類名】明細書
【補正対象項目名】０００７
【補正方法】変更
【補正の内容】
【０００７】
前記課題を解決するため、本発明の請求項１に係る発明は、導入孔に供給された高圧水に研磨材を混入したアブレシブウォータージェットをワークに噴射して加工するアブレシブウォータージェットノズルであって、前記研磨材が供給口から室内に空気とともに吸い込まれて導入される気室からなる混合室と、この混合室の上方に配設され前記導入孔が形成され前記高圧水を噴出するウォーターノズルと、このウォーターノズルの下流部であって前記混合室の中央部に入り込むように配設され、当該ウォーターノズルから噴出されたウォータージェットに前記研磨材を混入させ、前記混合室内に当該ウォータージェットを導通孔の開口部から噴出するミキシングノズルと、このミキシングノズルの下流部に配設され前記ウォータージェットを導入して前記アブレシブウォータージェットを前記ワークに噴射するアブレシブノズルと、を備え、前記供給口は、前記開口部よりも前記ウォータージェットの噴出方向に対して上流側に前記研磨材を供給するように前記混合室に配設され、前記ミキシングノズルの導通孔の孔径は、前記ウォーターノズルの孔径よりも大きく形成され、当該導通孔を通過するウォータージェットと当該導通孔の内周面との間に形成された隙間に前記混合室内に滞留させた研磨材を空気とともに吸引して当該導通孔内で前記ウォータージェットに混入させること、を特徴とする。
【手続補正書】
【提出日】平成26年6月26日(2014.6.26)
【手続補正１】
【補正対象書類名】明細書
【補正対象項目名】００４７
【補正方法】変更
【補正の内容】
【００４７】
右静圧パッド２によるワークＷの吸着後に、左静圧パッド１を後退位置Ｘ２へと後退させる前に、図１５に示すように左静圧パッド１から静圧水を供給して左静圧パッド１とワークＷとの間の表面張力をなくす。即ち、ワークＷと左静圧パッド１との隙間は、実際には０．１ｍｍ程度であるため、右静圧パッド２がワークＷを吸着しても、ワークＷと左静圧パッド１との間の表面張力はなくならない。
【手続補正書】
【提出日】平成26年5月14日(2014.5.14)
【手続補正１】
【補正対象書類名】特許請求の範囲
【補正対象項目名】全文
【補正方法】変更
【補正の内容】
【特許請求の範囲】
【請求項１】
ペプチド結合加水分解酵素により豆乳を加水分解して発酵基質を得る酵素処理工程と、
前記発酵基質をラクトバチラス・ブレビス（Ｌａｃｔｏｂａｃｉｌｌｕｓ  ｂｒｅｖｉｓ）に属する乳酸菌で発酵する発酵工程と、を備える、豆乳発酵物の製造方法。
【請求項２】
前記発酵基質中の前記ペプチド結合加水分解酵素を失活させる酵素失活工程を更に備える、請求項１に記載の製造方法。
【請求項３】
前記ペプチド結合加水分解酵素が、ペプチダーゼ及びプロテアーゼからなる群より選択される少なくとも１種の酵素である、請求項１又は２に記載の製造方法。
【請求項４】
前記ペプチド結合加水分解酵素が、エキソ型のペプチダーゼ、又はエキソ型のプロテアーゼを含む、請求項１〜３のいずれか一項に記載の製造方法。
【請求項５】
前記発酵基質に含まれる遊離アミノ酸の量が、全量を基準として、６０００質量ｐｐｍ以下である、請求項１〜４のいずれか一項に記載の製造方法。
【請求項６】
前記乳酸菌が、ラクトバチラス・ブレビスＳＢＣ８８０３（受託番号：ＦＥＲＭ  ＢＰ−１０６３２）である、請求項１〜５のいずれか一項に記載の製造方法。
【請求項７】
請求項１〜６のいずれか一項に記載の製造方法により得られる豆乳発酵物。
【請求項８】
請求項１〜６のいずれか一項に記載の製造方法により得られる豆乳発酵物を含む飲食品。
【手続補正書】
【提出日】平成26年6月27日(2014.6.27)
【手続補正１】
【補正対象書類名】特許請求の範囲
【補正対象項目名】全文
【補正方法】変更
【補正の内容】
【特許請求の範囲】
【請求項１】
特別始動条件の成立に基づいて図柄を変動させて行う図柄変動ゲームを実行する図柄表示手段と、前記特別始動条件の成立に基づいて前記図柄変動ゲームが当りか否かを判定する当り判定を行う当り判定手段と、を備え、前記図柄変動ゲームにて当り表示結果が表示された場合に、特別入賞口が所定回数開放される当り遊技が行われる遊技機において、
遊技球の入球検知により前記特別始動条件を付与するとともに、前記特別入賞口へ遊技球を導く動作と同一動作にて遊技球を入球口へと導く始動入賞口と、
普通始動条件の成立に基づいて前記始動入賞口を開放させるか否かを判定する開放判定を行う開放判定手段と、
前記開放判定手段の判定結果に基づいて普通図柄変動ゲームを普通図柄表示手段に行わせるように制御する普通図柄変動ゲーム制御手段と、
前記普通図柄変動ゲームにて表示された表示結果に応じて、前記始動入賞口を開放させるように制御する始動入賞口開放制御手段と、を備え、
前記開放判定手段は、前記当り判定で当りとされるよりも高い確率で前記始動入賞口を開放させる結果を導出可能とし、
前記当り遊技の終了後には、前記始動入賞口への入球率が通常状態よりも向上される入球率向上状態が付与可能とされており、
前記普通図柄変動ゲーム制御手段は、前記入球率向上状態中に、前記特別入賞口が所定回数開放される際の１回の開放が終了して次の開放が開始されるまでの開放間時間以下の変動時間で前記普通図柄変動ゲームを行わせることを特徴とする遊技機。
【請求項２】
遊技盤には、前記特別入賞口及び前記始動入賞口の何れを狙って遊技球を発射させてもこれらの何れにも入球可能に遊技球の流路が形成されており、
前記始動入賞口は、前記特別入賞口よりも上流に設けられ、
前記始動入賞口開放制御手段は、前記当り遊技に基づいて前記特別入賞口の各開放時間未満となるように前記始動入賞口を開放とする開放時間を設定している請求項１に記載の遊技機。
【請求項３】
前記特別入賞口を開放させるように制御する特別入賞口開放制御手段を備え、
前記特別入賞口開放制御手段は、前記入球率向上状態中に付与される前記当り遊技、又は終了後に前記入球率向上状態が付与される前記当り遊技に基づいて前記特別入賞口の最後の開放の終了後、該当り遊技が終了されることを報知する演出時間を設定することなく次の前記図柄変動ゲームを実行可能な状態を生起する請求項１又は請求項２に記載の遊技機。
【請求項４】
前記開放判定手段は、前記通常状態であれば前記当り判定で当りとされるよりも低い確率で前記始動入賞口を開放させる結果を導出する請求項１〜請求項３のうち何れか一項に記載の遊技機。
【手続補正２】
【補正対象書類名】明細書
【補正対象項目名】０００６
【補正方法】変更
【補正の内容】
【０００６】
上記目的を達成するために、請求項１に記載の発明は、特別始動条件の成立に基づいて図柄を変動させて行う図柄変動ゲームを実行する図柄表示手段と、前記特別始動条件の成立に基づいて前記図柄変動ゲームが当りか否かを判定する当り判定を行う当り判定手段と、を備え、前記図柄変動ゲームにて当り表示結果が表示された場合に、特別入賞口が所定回数開放される当り遊技が行われる遊技機において、遊技球の入球検知により前記特別始動条件を付与するとともに、前記特別入賞口へ遊技球を導く動作と同一動作にて遊技球を入球口へと導く始動入賞口と、普通始動条件の成立に基づいて前記始動入賞口を開放させるか否かを判定する開放判定を行う開放判定手段と、前記開放判定手段の判定結果に基づいて普通図柄変動ゲームを普通図柄表示手段に行わせるように制御する普通図柄変動ゲーム制御手段と、前記普通図柄変動ゲームにて表示された表示結果に応じて、前記始動入賞口を開放させるように制御する始動入賞口開放制御手段と、を備え、前記開放判定手段は、前記当り判定で当りとされるよりも高い確率で前記始動入賞口を開放させる結果を導出可能とし、前記当り遊技の終了後には、前記始動入賞口への入球率が通常状態よりも向上される入球率向上状態が付与可能とされており、前記普通図柄変動ゲーム制御手段は、前記入球率向上状態中に、前記特別入賞口が所定回数開放される際の１回の開放が終了して次の開放が開始されるまでの開放間時間以下の変動時間で前記普通図柄変動ゲームを行わせることを要旨とする。
【手続補正３】
【補正対象書類名】明細書
【補正対象項目名】０００８
【補正方法】変更
【補正の内容】
【０００８】
請求項３に記載の発明は、請求項１又は請求項２に記載の遊技機において、前記特別入賞口を開放させるように制御する特別入賞口開放制御手段を備え、前記特別入賞口開放制御手段は、前記入球率向上状態中に付与される前記当り遊技、又は終了後に前記入球率向上状態が付与される前記当り遊技に基づいて前記特別入賞口の最後の開放の終了後、該当り遊技が終了されることを報知する演出時間を設定することなく次の前記図柄変動ゲームを実行可能な状態を生起することを要旨とする。
【手続補正４】
【補正対象書類名】明細書
【補正対象項目名】０００９
【補正方法】変更
【補正の内容】
【０００９】
請求項４に記載の発明は、請求項３に記載の遊技機において、前記開放判定手段は、前記通常状態であれば前記当り判定で当りとされるよりも低い確率で前記始動入賞口を開放させる結果を導出することを要旨とする。
【手続補正書】
【提出日】平成26年6月27日(2014.6.27)
【手続補正１】
【補正対象書類名】特許請求の範囲
【補正対象項目名】請求項１
【補正方法】変更
【補正の内容】
【請求項１】
遊技球が入球可能な始動手段と、前記始動手段による遊技球の入球を契機に、図柄を変動させて行う図柄変動ゲームが大当りとなるか否かを判定するための当り判定用乱数の値を取得する乱数取得手段と、前記始動手段に遊技球が入球したときに前記乱数取得手段が取得した当り判定用乱数を始動保留球に対応付けて記憶する保留記憶手段と、前記図柄変動ゲームの開始時に、前記保留記憶手段に前記始動保留球に対応付けて記憶された当り判定用乱数の値に基づいて、図柄変動ゲームが大当りとなるか否かを判定する大当り判定手段と、前記大当り判定手段による判定結果に基づいて、図柄を変動させて行う図柄変動ゲームを表示する表示手段と、を備え、前記図柄変動ゲームにおいて予め定めた大当り表示結果が表示された場合には、遊技者に有利となる大当り遊技が生起される遊技機において、
演出を実行する演出実行手段と、
前記演出実行手段に演出を実行させる制御を行う演出制御手段と、
遊技者に対する特典への期待度を示唆する演出モードを制御する演出モード制御手段と、
前記保留記憶手段に前記始動保留球に対応付けて記憶された当り判定用乱数に基づく前記大当り判定手段の判定前に、該当り判定用乱数を判定する事前判定手段と、を備え、
前記始動手段には、第１始動手段と、閉状態と当該閉状態よりも遊技球が入球し易くなる開状態とを取り得る第２始動手段と、を含み、
前記演出制御手段は、前記演出モード制御手段によって演出モードのうち特定演出モードから、該特定演出モードよりも遊技者に対する特典への期待度が低い非特定演出モードに移行された場合には、該非特定演出モードへの移行後に予め定められた条件が満たされた特殊図柄変動ゲームにおいて、前記演出モード制御手段によって非特定演出モードから特定演出モードに移行させるか否かに拘わらず、前記事前判定手段による判定結果に基づいて、特定演出モードにおいて実行される演出と同じ演出態様で特殊演出を前記演出実行手段に対して実行可能に制御し、
前記特定演出モードは、前記第２始動手段が開状態になり易い入球率向上状態中の演出モードであり、前記非特定演出モードは、前記第２始動手段が前記入球率向上状態中よりも開状態となり難い非入球率向上状態中の演出モードであり、
前記非入球率向上状態中は前記図柄変動ゲームとして前記第１始動手段への入球に基づく第１図柄変動ゲームが実行され易く、前記入球率向上状態中は前記図柄変動ゲームとして前記第２始動手段への入球に基づく第２図柄変動ゲームが実行され易く、
前記特殊図柄変動ゲームは、前記非入球率向上状態中に実行される前記第２図柄変動ゲームである遊技機。
【手続補正２】
【補正対象書類名】明細書
【補正対象項目名】０００８
【補正方法】変更
【補正の内容】
【０００８】
上記問題点を解決するために、請求項１に記載の発明は、遊技球が入球可能な始動手段と、前記始動手段による遊技球の入球を契機に、図柄を変動させて行う図柄変動ゲームが大当りとなるか否かを判定するための当り判定用乱数の値を取得する乱数取得手段と、前記始動手段に遊技球が入球したときに前記乱数取得手段が取得した当り判定用乱数を始動保留球に対応付けて記憶する保留記憶手段と、前記図柄変動ゲームの開始時に、前記保留記憶手段に前記始動保留球に対応付けて記憶された当り判定用乱数の値に基づいて、図柄変動ゲームが大当りとなるか否かを判定する大当り判定手段と、前記大当り判定手段による判定結果に基づいて、図柄を変動させて行う図柄変動ゲームを表示する表示手段と、を備え、前記図柄変動ゲームにおいて予め定めた大当り表示結果が表示された場合には、遊技者に有利となる大当り遊技が生起される遊技機において、演出を実行する演出実行手段と、前記演出実行手段に演出を実行させる制御を行う演出制御手段と、遊技者に対する特典への期待度を示唆する演出モードを制御する演出モード制御手段と、前記保留記憶手段に前記始動保留球に対応付けて記憶された当り判定用乱数に基づく前記大当り判定手段の判定前に、該当り判定用乱数を判定する事前判定手段と、を備え、前記始動手段には、第１始動手段と、閉状態と当該閉状態よりも遊技球が入球し易くなる開状態とを取り得る第２始動手段と、を含み、前記演出制御手段は、前記演出モード制御手段によって演出モードのうち特定演出モードから、該特定演出モードよりも遊技者に対する特典への期待度が低い非特定演出モードに移行された場合には、該非特定演出モードへの移行後に予め定められた条件が満たされた特殊図柄変動ゲームにおいて、前記演出モード制御手段によって非特定演出モードから特定演出モードに移行させるか否かに拘わらず、前記事前判定手段による判定結果に基づいて、特定演出モードにおいて実行される演出と同じ演出態様で特殊演出を前記演出実行手段に対して実行可能に制御し、前記特定演出モードは、前記第２始動手段が開状態になり易い入球率向上状態中の演出モードであり、前記非特定演出モードは、前記第２始動手段が前記入球率向上状態中よりも開状態となり難い非入球率向上状態中の演出モードであり、前記非入球率向上状態中は前記図柄変動ゲームとして前記第１始動手段への入球に基づく第１図柄変動ゲームが実行され易く、前記入球率向上状態中は前記図柄変動ゲームとして前記第２始動手段への入球に基づく第２図柄変動ゲームが実行され易く、前記特殊図柄変動ゲームは、前記非入球率向上状態中に実行される前記第２図柄変動ゲームであることを要旨とする。
【手続補正書】
【提出日】平成26年5月29日(2014.5.29)
【手続補正１】
【補正対象書類名】特許請求の範囲
【補正対象項目名】請求項１
【補正方法】変更
【補正の内容】
【請求項１】
図柄を変動させて行う図柄変動ゲームを実行する図柄表示手段を備え、前記図柄変動ゲームにて当り表示結果が表示された場合に、特別入賞口が所定回数開放される当り遊技が行われる遊技機において、
遊技球を入球検知する入球検知手段と、
前記入球検知手段による遊技球の入球検知を契機に当り判定用乱数の値を取得する乱数取得手段と、
前記入球検知手段による遊技球の入球検知に基づいて前記乱数取得手段が取得する前記当り判定用乱数を始動保留として上限数まで記憶する保留記憶手段と、
前記図柄変動ゲームの開始に基づいて前記乱数取得手段が取得した前記当り判定用乱数の値と予め定めた当り判定値とを比較し、当りか否かを判定する当り判定手段と、
前記当り判定手段の判定結果に基づいて前記図柄変動ゲームを行わせるように制御する特別図柄変動ゲーム制御手段と、
前記当り遊技に基づいて前記特別入賞口の最後の開放の終了後、該当り遊技が終了されることを報知する当り遊技終了演出を行わせるように当り遊技終了演出実行手段を制御する終了演出制御手段と、
前記当り遊技中に記憶されている始動保留に基づいて当りとなる始動保留が存在するか否かを事前判定する事前判定手段と、
前記事前判定手段の判定結果が肯定の場合、前記事前判定の対象とする始動保留に基づいて当りとなる保留内当りを報知するための制御を行う報知制御手段と、を備え、
前記特別図柄変動ゲーム制御手段は、前記当り遊技の終了後、前記上限数分の始動保留に基づいて最も短い変動時間にて前記図柄変動ゲームを行わせるように制御し、
前記終了演出制御手段は、前記当り遊技に基づいて前記特別入賞口の最後の開放の終了後から前記上限数分の始動保留に基づいて行われる各図柄変動ゲームの間において繋がった演出内容による前記当り遊技終了演出を行わせる一方、前記報知制御手段に基づいて前記保留内当りの報知が行われる場合、前記当り遊技中に実行が保留されている始動保留の中に当りがあることを報知するための制御を行うことを特徴とする遊技機。
【手続補正２】
【補正対象書類名】特許請求の範囲
【補正対象項目名】請求項２
【補正方法】変更
【補正の内容】
【請求項２】
前記特別図柄変動ゲーム制御手段は、前記当り遊技の終了後、実際に存在する前記始動保留が前記上限数に満たない場合であって前記保留内当りの報知が行われない場合、これら各始動保留に基づいて行われる各図柄変動ゲームによる変動時間が前記上限数分の始動保留に基づいて最も短い変動時間で行われる各図柄変動ゲームによる変動時間となるように調整して制御する請求項１に記載の遊技機。
【手続補正３】
【補正対象書類名】明細書
【補正対象項目名】０００６
【補正方法】変更
【補正の内容】
【０００６】
上記目的を達成するために、請求項１に記載の発明は、図柄を変動させて行う図柄変動ゲームを実行する図柄表示手段を備え、前記図柄変動ゲームにて当り表示結果が表示された場合に、特別入賞口が所定回数開放される当り遊技が行われる遊技機において、遊技球を入球検知する入球検知手段と、前記入球検知手段による遊技球の入球検知を契機に当り判定用乱数の値を取得する乱数取得手段と、前記入球検知手段による遊技球の入球検知に基づいて前記乱数取得手段が取得する前記当り判定用乱数を始動保留として上限数まで記憶する保留記憶手段と、前記図柄変動ゲームの開始に基づいて前記乱数取得手段が取得した前記当り判定用乱数の値と予め定めた当り判定値とを比較し、当りか否かを判定する当り判定手段と、前記当り判定手段の判定結果に基づいて前記図柄変動ゲームを行わせるように制御する特別図柄変動ゲーム制御手段と、前記当り遊技に基づいて前記特別入賞口の最後の開放の終了後、該当り遊技が終了されることを報知する当り遊技終了演出を行わせるように当り遊技終了演出実行手段を制御する終了演出制御手段と、前記当り遊技中に記憶されている始動保留に基づいて当りとなる始動保留が存在するか否かを事前判定する事前判定手段と、前記事前判定手段の判定結果が肯定の場合、前記事前判定の対象とする始動保留に基づいて当りとなる保留内当りを報知するための制御を行う報知制御手段と、を備え、前記特別図柄変動ゲーム制御手段は、前記当り遊技の終了後、前記上限数分の始動保留に基づいて最も短い変動時間にて前記図柄変動ゲームを行わせるように制御し、前記終了演出制御手段は、前記当り遊技に基づいて前記特別入賞口の最後の開放の終了後から前記上限数分の始動保留に基づいて行われる各図柄変動ゲームの間において繋がった演出内容による前記当り遊技終了演出を行わせる一方、前記報知制御手段に基づいて前記保留内当りの報知が行われる場合、前記当り遊技中に実行が保留されている始動保留の中に当りがあることを報知するための制御を行うことを要旨とする。
【手続補正４】
【補正対象書類名】明細書
【補正対象項目名】０００７
【補正方法】変更
【補正の内容】
【０００７】
請求項２に記載の発明は、請求項１に記載の遊技機において、前記特別図柄変動ゲーム制御手段は、前記当り遊技の終了後、実際に存在する前記始動保留が前記上限数に満たない場合であって前記保留内当りの報知が行われない場合、これら各始動保留に基づいて行われる各図柄変動ゲームによる変動時間が前記上限数分の始動保留に基づいて最も短い変動時間で行われる各図柄変動ゲームによる変動時間となるように調整して制御することを要旨とする。
【手続補正書】
【提出日】平成26年1月15日(2014.1.15)
【手続補正１】
【補正対象書類名】特許請求の範囲
【補正対象項目名】全文
【補正方法】変更
【補正の内容】
【特許請求の範囲】
【請求項１】
供給される交流電力或いは直流電力を交流電力に変換して伝送路を介して送電する送電装置と、前記伝送路を介して前記交流電力を受電する受電装置とを備えた電力伝送システムにおいて、
前記受電装置は、
前記伝送路を介して受電した前記交流電力を整流して直流電力に変換する整流器と、
前記整流器から出力される直流電力の直流変換を行う直流変換器と、
前記直流変換器の入力電圧に基づいて前記直流変換器の入力インピーダンスが設定値となる電流指令値を算出し、前記直流変換器の入力電流が前記電流指令値と一致するように前記直流変換器を制御する受電側制御装置と、
を備え、
前記送電装置は、
前記供給される交流電力或いは直流電力を交流電力に変換する交流変換器と、
前記交流変換器による前記交流電力の増幅度を制御する送電側制御装置と、
を備え、
前記受電側制御装置は、前記電流指令値を前記送電側制御装置へ送信し、
前記送電側制御装置は、前記受電側制御装置から受信した前記電流指令値に基づいて、前記直流変換器の入力電力が一定となるように前記交流変換器による前記交流電力の増幅度を制御することを特徴とする電力伝送システム。
【請求項２】
前記送電装置は、前記伝送路として空間伝送路を介して前記交流電力を磁界共鳴方式により無線送電するための送電側共振器を備え、
前記受電装置は、前記空間伝送路を介して前記送電側共振器から前記交流電力を無線受電するための受電側共振器を備えることを特徴とする請求項１に記載の電力伝送システム。
【請求項３】
前記送電装置と前記受電装置との間で双方向の電力伝送が可能な請求項１または２に記載の電力伝送システム。
【請求項４】
所定の電源から供給される電力を制御して交流電力を出力するアンプと、
前記アンプから入力される前記交流電力を、受電装置に伝送する共振器と、
受電装置から送信された電流指令値を受信するアンテナと、
前記アンテナが受信した前記電流指令値に基づいて、前記アンプが出力する前記交流電力の増幅度を制御する制御装置と、
を有する電力伝送システムの送電装置。
【請求項５】
前記制御装置は、前記電流指令値に基づいて、前記受電装置に設けられた直流電力の変換器への入力電力が一定となるように、前記アンプが出力する前記交流電力の増幅度を制御することを特徴とする請求項４に記載の電力伝送システムの送電装置。
【請求項６】
前記共振器は、磁界共鳴方式により前記受電装置に前記アンプから入力される前記交流電力を伝送することを特徴とする請求項４に記載の電力伝送システムの送電装置。
【請求項７】
請求項４に記載された電力伝送システムの送電装置を含むことを特徴とする駐車場に設置された充電設備。
【請求項８】
所定の電源から供給される電力を制御して交流電力を出力するアンプと、
前記アンプから入力される前記交流電力を、受電装置に伝送する共振器と、
受電装置から送信された信号を受信するアンテナと、
前記アンテナが受信した前記信号に基づいて、前記アンプが出力する前記交流電力の増幅度を制御する制御装置と、
を備えることを特徴とする電力伝送システムの送電装置。
【請求項９】
送電装置から伝送された交流電力を受ける共振器と、
前記共振器と接続され、交流電力を直流電力に変換する整流器と、
前記直流電力の直流変換を行って出力する変換器と、
前記変換器に入力される入力電圧に基づき前記変換器の入力インピーダンスが所定の値となる電流指令値を算出し、前記電流指令値に基づいて前記変換器を制御する一方、前記電流指令値を前記送電装置に送信する機能を有する制御装置と、
を有する電力伝送システムの受電装置。
【請求項１０】
前記制御装置が出力する前記電流指令値を前記送電装置に向けて送信するアンテナをさらに備えることを特徴とする請求項９に記載の電力伝送システムの受電装置。
【請求項１１】
前記制御装置は、近距離無線通信規格を用いて前記電流指令値を前記送電装置に送信する機能を有することを特徴とする請求項９に記載の電力伝送システムの受電装置。
【請求項１２】
前記共振器は、磁界共鳴方式により前記送電装置から交流電力を受けることを特徴とする請求項９に記載の電力伝送システムの受電装置。
【請求項１３】
請求項９に記載の電力伝送システムの受電装置と、
前記変換器と接続されたバッテリと、
を備えることを特徴とする電気自動車。
【手続補正２】
【補正対象書類名】明細書
【補正対象項目名】発明の名称
【補正方法】変更
【補正の内容】
【発明の名称】電力伝送システム、その送電装置及び受電装置、並びに充電設備及び電気自動車
【手続補正３】
【補正対象書類名】明細書
【補正対象項目名】０００１
【補正方法】変更
【補正の内容】
【０００１】
本発明は、電力伝送システム、その送電装置及び受電装置、並びに充電設備及び電気自動車に関する。
【手続補正４】
【補正対象書類名】明細書
【補正対象項目名】０００６
【補正方法】変更
【補正の内容】
【０００６】
本発明は上述した事情に鑑みてなされたものであり、電力伝送効率の向上を実現すると共に構成素子の破損を回避可能な電力伝送システム、その送電装置及び受電装置、並びに充電設備及び電気自動車を提供することを目的とする。